(57)【特許請求の範囲】
【請求項１】
扉のハンドルに加えられた動作力をてこにより拡大して本体側に伝達し、該扉と本体との間を所定間隔に離隔させる扉開閉機構において、
前記ハンドルより前記てこの支点まで延びるアーム部を有し、該てこの支点近傍及び該アーム部を覆うカバーと、前記ハンドルに加えられた動作力を前記本体側に到るまでの所定の距離伝達する伝達部材とを設け、
前記伝達部材は前記てこの支点となる回動軸中心を有するシャフトであり、前記シャフトの前記ハンドル側の端に曲げ部を設け、該曲げ部を前記回動軸中心周りに回動させる事により、前記動作力の伝達を行い、
前記ハンドル及び前記アーム部を補強する補強部材を前記ハンドル及び前記アーム部に一体に設け、前記シャフトの曲げ部は前記アーム部に嵌合するハンドル下部材にはめ込まれており、更にその外側を、前記補強部材の前記アーム部側に設けたコの字状の立ち上がりが挟み込むように嵌合している事を特徴とする扉開閉機構。
【請求項２】
前記ハンドルを扉に組み付ける組付け部材を前記カバーにより覆った事を特徴とする請求項１に記載の扉開閉機構。
【発明の詳細な説明】
【０００１】
【発明の属する技術分野】
本発明は、冷蔵庫等の扉開閉機構に関するものである。
【０００２】
【従来の技術】
従来より、このような扉開閉機構については、例えば特開平１０−７３３６７号公報に記載されている如く、ガスケット内に内蔵されたゴム磁石から発生された磁力によってキャビネットの前縁部にガスケットが強く面接触され、ドアの緊密な閉動作が行われるドアを設けた冷蔵庫において、前記ドアの一側にはドアを開ける際に、先ず所定部分を指の力によって前記キャビネットとガスケットとの磁力接触状態を一時一定間隔に離隔させた後で、ドアを僅かな力で軽く開けられるようドアハンドル手段を設けた構成のものが開示されている。
【０００３】
これは、具体的には、ドアに設けられた内側及び外側ハンドルと、前記内側及び外側ハンドルの一側に回動自在にヒンジ結合された取手部材と、前記取手部材と内側及び外側ハンドルを指で握る事によりシーソー運動する回転カムと、前記回転カムのシーソー運動により前後にスライド運動するスライド軸とを有しており、前記取手部材と内側及び外側ハンドルを指でつまみ、指の力によってスライド軸を移動させ、これによりキャビネットを押して、ドアを一定間隔に離隔させるものである。
【０００４】
【発明が解決しようとする課題】
しかしながら、前記特開平１０−７３３６７号公報に記載されているような構成では、前記取手部材と内側及び外側ハンドルを指でつまむには、指先の握力がかなり必要であるという問題がある。これは体重をかけて前記取手部材を引く場合でも同様である。
【０００５】
そして、このような、ドアを開けるときの操作力を小さくするには、前記回転カムの回転軸となるヒンジピンから前記取手部材につながる第１接触突起面までの距離を長くする必要があり、こうすると前記回転カムが大きくなるので、外観上見苦しくなる。しかも、前記取手部材の動作を大きくする必要が生じるので、操作性が悪くなり、また大きな配置スペースや動作スペースも必要となる。さらには、スライド軸がキャビネットを押す位置は、ドアハンドル開閉手段の近くに限られるので、デザイン的な制約が生じる。
【０００６】
また、機構部を覆うカバー等を設けにくくなるため、機構部に埃，飲料等が入り込みやすく不衛生であり、清掃も困難となる。また動作不良等の問題も発生しやすい。
【０００７】
本発明は、このような問題点に鑑み、少ない力で扉を開ける事ができて扉開放操作性が良好であり、しかも外観上も美しくデザイン的に洗練された扉開閉機構を提供する事を目的とする。
【０００８】
【課題を解決するための手段】
上記目的を達成するために、本発明では、扉のハンドルに加えられた動作力をてこにより拡大して本体側に伝達し、その扉と本体との間を所定間隔に離隔させる扉開閉機構において、前記ハンドルより前記てこの支点まで延びるアーム部を有し、そのてこの支点近傍及びそのアーム部を覆うカバーと、前記ハンドルに加えられた動作力を前記本体側に到るまでの所定の距離伝達する伝達部材とを設け、前記伝達部材は前記てこの支点となる回動軸中心を有するシャフトであり、前記シャフトの前記ハンドル側の端に曲げ部を設け、その曲げ部を前記回動軸中心周りに回動させる事により、前記動作力の伝達を行い、前記ハンドル及び前記アーム部を補強する補強部材を前記ハンドル及び前記アーム部に一体に設け、前記シャフトの曲げ部は前記アーム部に嵌合するハンドル下部材にはめ込まれており、更にその外側を、前記補強部材の前記アーム部側に設けたコの字状の立ち上がりが挟み込むように嵌合している事を特徴とする。
【００１０】
また、前記ハンドルを扉に組み付ける組付け部材を前記カバーにより覆った事を特徴とする。
【００１１】
【発明の実施の形態】
以下、本発明の実施の形態について、図面を参照しながら説明する。なお、以下の説明において、左右とは冷蔵庫を正面から見て左右を意味し、前後とは冷蔵庫を正面から見て前後（手前及び向こう）を意味する。また、以下の各図において、板厚等の薄い断面を示す部分に対するハッチングは、記入を省略している。
【００１２】
図１は、本発明の扉開閉機構を備えた冷蔵庫の一実施形態を示す正面図である。同図において、１は冷蔵庫本体、上方に位置する２は冷蔵室扉、中央に位置する３は野菜室扉、下方に位置する４ａ，４ｂ，及び５は冷凍室扉である。各扉の背後に控えた冷蔵庫本体１は、その前記各々の扉に対応して、前面に開口部を持つ隔離室を有している。また、冷蔵室扉２は、左右両開きの扉であり、各々てこ式で開閉動作を行うハンドル６，７を左右下部に有している。
【００１３】
ここで、冷蔵室扉２は、その前面に、左右両端が後方に折り曲げられたドアプレート８が配置され、そのドアプレート８の上下端各々にドアキャップ上９，及びドアキャップ下１０が差し込まれた箱体１１を備えている。また、上記ハンドル６，７が取り付けられる部分には、ドアプレート８をそれぞれ切り欠いた開口部８ａ，８ｂが設けられている。そして、開口部８ａ，８ｂには、ドアプレート８の裏側からそれぞれハンドルサポート１２，１３があてがわれ、これらハンドルサポート１２，１３には、開口部８ａ，８ｂをそれぞれ左右の側面斜め前方から通過して、ハンドルベース１４，１５がそれぞれ差し込まれるように取り付けられている。
【００１４】
なお、ハンドルベース１４，１５は、それぞれハンドルサポート１２，１３の外側に配設され、各々ドアプレート８を挟んで、上記箱体１１の内側から図示しないビス止めにて取り付けられる。これにより、箱体１１とあわせて、冷蔵室扉小組品１６が形成される。この冷蔵室扉小組品１６には、後方開口部（不図示）から発泡ウレタン原料が注入され、この後方開口部を覆うように背面板（後述）が取り付けられた後、ウレタン発泡が施される。これにより、内部に発泡したウレタンフォームの断熱材（後述）を有する冷蔵室扉中組品１７が形成される。
【００１５】
図２は、冷蔵室扉右部のハンドル７付近の拡大図であり、内部構造が分かるように、部分断面図を備えている。なお、左側のハンドル６付近の構成は、本図を左右に反転したものとなっている。同図において、ハンドルサポート１３の前方に位置するハンドルベース１５の下部には、略円形部１５ａからその直径より巾の狭い略長方形の切り込みが続いて鍵穴状となった、穴１５ｂが開けられている。
【００１６】
そして、ハンドルサポート１３には、前記穴１５ｂに対向して断面が略小判状である空洞部１３ａが設けられており、これが下方に延びてドアキャップ下１０まで続いている。さらに、ドアキャップ下１０には、空洞部１３ａに対向して同様の略小判穴１０ａが開けられており、穴１５ｂ，空洞部１３ａ，略小判穴１０ａは、互いを貫通して一体となった空間１８となっている。
【００１７】
なお、空洞部１３ａと略小判穴１０ａの嵌合部は、上記発泡ウレタン原料が箱体１１に注入されて発泡したとき、空間１８内にウレタンが漏れ出さないような嵌合となっているが、必要に応じて更にその部分にはシール処理が施される。これにより、空間１８及びその付近は、発泡したウレタンフォームの断熱材２ａから隔離された状態となる。
【００１８】
また、ハンドル７の下部より側方に延びるアーム部７ｗに嵌合するハンドル下２０の開口部２０ａには、ハンドル７の回動軸となる下シャフト１９が差し込まれており、下シャフト１９上部のＬ状曲げ部１９ａは、ハンドル下２０の保持部２０ｂに保持されている。一方、下シャフト１９下部のＬ状曲げ部１９ｂは、ハンドルベース１５の穴１５ｂを通過した後、続いて空洞部１３ａ，略小判穴１０ａを通過し、即ち空間１８を通過して、ドアキャップ下１０の内面に突き出した状態となっている。このとき、空間１８には、下シャフト１９の一部が挿入されている。
【００１９】
そして、ハンドル下２０の下面より下方に突出する略円形ボス２０ｃは、ハンドルベース１５の穴１５ｂ中の略円形部１５ａに嵌合している。これによりハンドル下２０は、ハンドル７下部及び下シャフト１９と共に、ハンドルベース１５に回動自在に取り付けられた状態となっている。なお、下シャフト１９上部のＬ状曲げ部１９ａは、狭持或いは接着等により、ハンドル下２０の保持部２０ｂに固定されている。また、下シャフト１９下部のＬ状曲げ部１９ｂには、カムレバー２１がスライドカム２２に組み込まれた状態で、下側から取り付けられている。これらの部分の働きについては後述する。
【００２０】
ところで、上述したように、下シャフト１９上部及び下部には、それぞれＬ状曲げ部１９ａ，１９ｂを設けているため、下シャフト１９にハンドル下２０やカムレバー２１を結合する際に、回り止めのためのキーやキー溝等を設ける必要がないので、ハンドルの構造が簡略化され、部品点数も少なく、組み立ても容易となっている。しかも、Ｌ状曲げ部１９ａ，１９ｂは、下シャフト１９に一体となって繋がっている丈夫なものであるので、下シャフト１９に対するハンドル下２０やカムレバー２１の結合が更に確実なものとなっている。またこれにより、簡単な構造で、大きな力を所定の距離離れた位置に確実に伝達する事ができるので、扉開放操作性の良好な扉開閉機構が得られる。
【００２１】
また、Ｌ状曲げ部１９ｂは、カムレバー２１の嵌合部に対して、上下方向に抜き差しする事ができるため、上記各部品を組み立てた状態から、下シャフト１９やハンドル下２０を取り外すときは、スライドカム２２側から分解する必要がない。即ち、冷蔵室扉２を冷蔵庫本体１に取り付けた状態のまま、ハンドル７側から分解する事ができるので、補修が簡単に行えるようになっている。また、Ｌ状曲げ部１９ａ，１９ｂが、それぞれハンドル下２０及びカムレバー２１に狭持により嵌合しているときは、これら各々の部品における上下方向の寸法や、取り付け角度或いは曲げ角度等に多少の変動があっても、嵌合部分で吸収する事ができる。
【００２２】
さて、カムレバー２１の下面には、円形ボス２１ａが設けられている。ここでは、カムレバー２１がＬ状曲げ部１９ｂに取り付けられた状態において、下シャフト１９のてこの支点となる回動軸中心１９ｃの下方への延長線上に、この円形ボス２１ａの中心がある。そして、円形ボス２１ａは、スライドカム２２の穴２２ａに、回動自在に嵌合している。
【００２３】
つまり、スライドカム２２は、後述するカムとしての働き以外に、カムレバー２１を支持する働きも兼ねており、他にカムレバー２１を支持する部材を設けていないので、構造的にもスペース的にも簡略化されたものとなっている。なお、スライドカム２２は、ドアキャップ下１０を挟んで、補強板２３にビス止め（不図示）されている。そして、ハンドル７は、ハンドルベース１５に回動自在に取り付けられたハンドル下２０の扉外側（本図の右側）から差し込まれ、ハンドル下２０に図示しないビス止め等にて固定されている。
【００２４】
また、ハンドル７上部より側方に延びるアーム部７ｙには、貫通穴７ａが開けられており、ハンドルベース１５上端には、その貫通穴７ａに対向して上側に貫通穴１５ｃが開けられている。さらに、ハンドルベース１５内側壁より突出する突起１５ｆには、前記貫通穴７ａに対向して下側に略円形穴１５ｄが開けられている。これら各穴は、下シャフト１９の回動軸中心１９ｃの、上方への延長線上を中心にして設けられており、各穴には下側から上シャフト２４が同軸で差し込まれている。
【００２５】
これにより、ハンドル７上部は、上シャフト２４と共に、ハンドルベース１５に回動自在に取り付けられた状態となっている。なお、突起１５ｆより更に下方に、同様にしてハンドルベース１５内側壁より突出する突起部１５ｅが設けられており、上シャフト２４を前記各穴に差し込んだ後に回転させ、この上シャフト２４下部に設けたＬ状曲げ部２４ａを、この突起部１５ｅに係合させる事により、上シャフト２４の抜け止めとしている。
【００２６】
また、上述した、ハンドル７の下部より側方に延びるアーム部７ｗ上面には、下シャフト１９の回動軸中心１９ｃの延長線上付近に、円形ボス７ｂが突出しており、これにはねじりコイルバネであるバネ２５がはめ込まれている。そして、その一端であるバネ端２５ａは、ハンドルベース１５を後方へ押すようにこれに当接しており、もう一端であるバネ他端２５ｂは、アーム部７ｗ上面で円形ボス７ｂの少し手前に設けられた係り部７ｃに、これを前方へ押すように掛けられている。
【００２７】
これにより、使用者がハンドル７の握り部７ｄを持って手前に引き、冷蔵室扉２を開放した状態で、握り部７ｄから手を離すと、ハンドル７はバネ２５の反力で、元の位置に戻るようになっている。また、上述した上シャフト２４のＬ状曲げ部２４ａ，突起部１５ｅ，円形ボス７ｂ，係り部７ｃ，及びバネ２５を覆うように、ベースカバー２６がハンドルベース１５に爪嵌合（後述）で取り付けられ、またハンドル７の前面にはハンドルカバー２７が爪嵌合（不図示）で取り付けられる。なお、前記説明した各利点は、ハンドルとは左右方向の反対側に回動軸を持つ、片開きの扉構造においても、同様の効果が得られる事は明白である。
【００２８】
図３は、冷蔵室扉右部のハンドルサポート及びハンドルベースを下側から見た図である。同図（ａ）は、ハンドルサポート１３を下側から見た図であり、空洞部１３ａは、断面が略小判状の穴となっている。また、同図（ｂ）はハンドルベース１５を下側から見た図であり、鍵穴状の穴１５ｂは、略円形部１５ａを有している。また、これらハンドルサポート１３及びハンドルベース１５を左右方向で反転した形状とすると、各々冷蔵室扉左側のハンドルサポート１２及びハンドルベース１４の形状となる。
【００２９】
そして、空洞部１３ａ及び穴１５ｂには、下シャフト１９のＬ状曲げ部１９ｂが通過するようになっており、また穴１５ｂの略円形部１５ａには、ハンドル下２０の略円形ボス２０ｃが、回動自在に嵌合する。このとき、略円形部１５ａの円形中心は、下シャフト１９の回動軸中心１９ｃに略一致している。なお、略円形部１５ａの直径の値を、穴１５ｂにおける略長方形の切り込みの巾より大きくしてあるため、ハンドル下２０の略円形ボス２０ｃは、前記略長方形の切り込みにはまり込む事はないので、ハンドル下２０をハンドルベース１５に対して、回動自在に取り付ける事ができる。
【００３０】
図４は、冷蔵室扉右部の扉閉止状態での、ハンドル７付近の図１におけるＡ−Ａ線断面図である。なお、左側のハンドル６付近の構成は、本図を左右に反転したものとなっている。同図に示すように、ドアプレート８の後方折り曲げ部８ｃには、背面板２８が取り付けられている。また、背面板２８の後面周縁部には溝２８ａが設けられており、略帯状のパッキン２９の取付部２９ａが溝２８ａに差し込まれている。これにより、パッキン２９は背面板２８に取り付けられている。
【００３１】
また、パッキン２９の内部には、弾力性のある磁性体２９ｂがほぼ全長に渡って設けられており、扉閉止時には、冷蔵庫本体１周壁を成すカラー鋼板製キャビネット３０等の、本体開口部前面３１に、このパッキン２９が密着する事により、冷蔵庫に対して外気を遮断し、且つ断熱している。なお、２ａは冷蔵室扉２内で一体に発泡された、ウレタンフォームの断熱材である。
【００３２】
ここで、扉閉止状態から扉の右部を開放する場合を想定する。このとき、使用者がハンドル７の握り部７ｄを握り、これを手前に引くと、ハンドル７は回動軸中心１９ｃ周りで上側から見て右回りに回転する。それと同時に、ハンドル７下部に取り付けられた、上記図２に示したハンドル下２０や、その保持部２０ｂに保持された下シャフト１９上部のＬ状曲げ部１９ａも、回動軸中心１９ｃ周りで右回りに回転する。
【００３３】
さらに、下シャフト１９の右回り方向の回転により、図２に示したカムレバー２１も、回動軸中心１９ｃ周りで右回りに回転する。そして、本体開口部前面３１側に設けられた後述するロック外カム３２を、このカムレバー２１で押す事により、冷蔵室扉２の右部が開放される。この動作は、図４に示すハンドル７のアーム部７ｗ先端に設けられた当たり部７ｅが、ハンドルベース１５の内壁に設けられた当たり受け部１５ｃに当接するまで行われ、これにより冷蔵室扉２の右部は、本体開口部前面３１から所定間隔だけ離される。
【００３４】
このとき、冷蔵室扉２の主に右部のパッキン２９が、本体開口部前面３１に磁性体２９ｂの磁力で密着している状態から、少し離れた状態となるだけで、冷蔵室扉２が左右方向に移動しやすくなる。これにより、冷蔵室扉２が回転自在にロックされる、後述する第２係止位置への移動も容易となる。また、パッキン２９が本体開口部前面３１から少し離れるだけで、外気が庫内に入りやすくなり、密閉状態が解除されるので、この後更に扉を開放するときは、最初に開放するときよりも少ない力で済む事になる。
【００３５】
その後、使用者が更にハンドル７を手前に引くと、ハンドル７の当たり部７ｅが当たり受け部１５ｃに当接したままの状態で、冷蔵室扉２の右部は更に開放される。なお、握り部７ｄは、その周辺に指を確実にまわして握る事ができるので、ハンドル７を手前に引く際には、充分に力を加える事ができるため、扉開閉時の操作性が良い事は明白である。
【００３６】
そして、使用者が握り部７ｄを手から離すと、図２で説明したバネ２５の反力で、ハンドル７はハンドルベース１５に対して、元の位置関係即ち図４に示す位置関係に戻る。このような働きをさせるために、上述したように、バネ２５のバネ端２５ａは、ハンドルベース１５を後方へ押すようにこれに当接しており、バネ他端２５ｂは、アーム部７ｗ上面で円形ボス７ｂの少し手前に設けられた係り部７ｃに、これを前方へ押すように掛けられている。
【００３７】
また、ハンドル７がハンドルベース１５に対して元の位置関係に戻る際、ハンドル７がハンドルベース１５に当接する時に、打撃音が発生するが、その打撃音を軽減するために、クッション材７ｆをハンドル７又はハンドルベース１５の、少なくともいずれか一方の当接部に設けると良い。
【００３８】
そして、ハンドルベース１５側の、前記バネ２５のバネ端２５ａ付近は、端部へ向かうにつれてソリのように折り曲げられている。これにより、ハンドル下２０へ冷蔵庫扉２の右部からハンドル７を差し込む際に、円形ボス７ｂにバネ２５がはめ込まれた状態でも、これがハンドルベース１５の壁面に引っかからないようになっている。また、ベースカバー２６は爪２６ａ，２６ｂにより、爪嵌合でハンドルベース１５に取り付けられている。
【００３９】
なお、冷蔵室扉２における断熱材２ａの断熱性が不十分で、ハンドルサポート１３やハンドルベース１５の表面に結露が生じる場合がある。このときは、扉の前方で、ハンドルサポート１３付近のドアプレート８内側（断熱材２ａ側）から、ハンドルサポート１３の断熱材２ａ側にかけて、例えばアルミ箔等の熱伝導材を貼付する事により、結露防止策としても良い。
【００４０】
また、ドアプレート８の開口部８ｂ周辺は、ハンドルサポート１３とハンドルベース１５とで挟まれているので、断熱材２ａ作成時の発泡ウレタン原料の発泡による、この部分からのウレタン漏れの恐れはない。更に、ハンドルサポート１３から外側（ハンドルベース１５側）は、断熱材２ａから隔離されているので、ハンドル７等の可動部への断熱材の侵入がなく、これら可動部の動作を阻害しない。なお、ハンドルサポート１３やハンドルベース１５と、ドアプレート８の開口部８ｂ周辺との間に、別途シール処理を施すと、ウレタン漏れの防止は更に確実となる。
【００４１】
図５は、冷蔵室扉右部の扉閉止状態での、ドアキャップ下１０付近の図１におけるＢ−Ｂ線断面図であり、主にカムレバー２１付近を示している。なお、左側のドアキャップ下付近の構成は、本図を左右に反転したものとなっている。同図に示すように、下シャフト１９下部のＬ状曲げ部１９ｂには、下側からスライドカム２２に組み込まれたカムレバー２１が、これを囲むように取り付けられている。そのため、Ｌ状曲げ部１９ｂは、カムレバー２１から上下方向に抜き差し可能となっている。なお、図２で示したように、回動軸中心１９ｃの延長線上に設けられた、カムレバー２１の下面にある円形ボス２１ａは、スライドカム２２の穴２２ａに、回動自在に嵌合している。
【００４２】
また、図４に示したように、使用者がハンドル７の握り部７ｄを握り、手前に引くと、図５に示した下シャフト１９が上側から見て右回り方向に、回動軸中心１９ｃ周りに回転する。そのため、カムレバー２１も下シャフト１９と同様にして、右回り方向に回動軸中心１９ｃ周りに回転し、カムレバー２１のてこの作用点となるロック外カム３２の前部を押す。そして、冷蔵室扉２の右部が開放される。この動作は、図４に示したハンドル７の当たり部７ｅが、ハンドルベース１５の当たり受け部１５ｃに当接するまで行われ、これにより冷蔵室扉２の右部は、本体開口部前面３１から所定間隔だけ離される。
【００４３】
なお、ロック外カム３２の前部を押すカムレバー２１の押し面２１ｂは、冷蔵室扉２の中央寄りとなるにつれて前側の位置となるような形状となっており、ロック外カム３２の前部を押している間は殆どその状態である。従って、この押し面２１ｂは、ロック外カム３２の前部を、斜め右前方から押すようになっており、その反力として、冷蔵室扉２の右部を、右側前方へ移動させるような力が働く事になる。
【００４４】
また、上述したロック外カム３２，カムレバー２１，下シャフト１９，及びハンドル７による、本体開口部前面３１からの所定間隔の扉開放は、てこの原理を利用したものである。ここで、ハンドル７を手前に引く際に、ロック外カム３２に対して力の加わる方向を、或程度自由な方向に変える事が可能であり、冷蔵室扉２の移動方向と同様の方向に力が加わるようにする事も可能であるので、これにより、扉移動時の開放抵抗を低減する事ができる。なお、この事は、ロック外カムに力を加える場合のみでなく、冷蔵庫本体１の他の部分に力を加える構造とした場合でも、同様の効果が得られる。
【００４５】
さらに、カムレバー２１の押し面２１ｂにおける、ロック外カム３２と接する部分から、回動軸中心１９ｃまでの距離は、回動軸中心１９ｃからハンドル７の握り部７ｄ中心までの距離よりも短いため、握り部７ｄに加えた力は、てこの原理により、その各々の長さに反比例した値となって拡大され、ロック外カム３２に伝わる。従って、握り部７ｄに加えた力よりも強い力でロック外カム３２押す事ができるので、これにより、少ないスペースで扉開放時に必要な力が低減された、デザイン的にも美しい扉開閉機構を提供する事ができる。
【００４６】
また、てこの作用点を有するカムレバー２１は、冷蔵室扉２の下部に配置されているため、冷蔵室扉２の重みにより、カムレバー２１と相手側（例えばロック外カム３２）が上下方向に押さえつけられ、これらの位置関係が上下方向で安定して保持される。これにより、てこによる動作力が、扉移動時の開放抵抗がかかる部分に確実に伝わるので、更に安定した扉開放動作が得られる扉開閉機構を提供する事ができる。
【００４７】
そして、ハンドル７の回動を、下シャフト１９を介してカムレバー２１に伝える構成であるため、てこの力点となる位置（ここではハンドル７の握り部７ｄの位置）と、てこの作用点となる位置（ここではカムレバー２１とその相手側であるロック外カム３２との接触位置）を、上下方向で扉開放操作性が良好となる位置にそれぞれ設定する事ができる。しかも、下シャフト１９は、図２で示した空間１８を通す事により、外からは見えない構成であるため、デザイン的にも美しい扉開閉機構を提供する事ができる。
【００４８】
なお、前記説明した各利点は、ハンドルとは左右方向の反対側に回動軸を持つ、片開きの扉構造においても、同様の効果が得られる事は明白である。ところで、４３はスライドカム２２に設けられた、ロック外カム３２と係合するスライド外カムである。詳しくは後述する。また、同図において括弧付きの符号で示した部分についても後述する。
【００４９】
図６は、扉の下方に配置されるヒンジアングルを示す図である。同図（ａ）は、冷蔵室扉２の下方で、冷蔵庫本体１の本体開口部前面３１にビス等（不図示）で取り付けられる、ヒンジアングル３３の中央から右半分を上側から見た平面図である。なお、ヒンジアングル３３の中央から左半分は、本図を左右に反転したものとなっている。また、同図（ｂ）〜（ｄ）は、それぞれ同図（ａ）のＣ−Ｃ線断面図，Ｄ−Ｄ線断面図，Ｅ−Ｅ線断面図である。
【００５０】
同図において、断面が略Ｌ字状の細長いアングル３３ａの、右端部にはヒンジピン３４が、右端から少し中央寄り部分には前後に長い形のロック外カム３２が、それぞれカシメ止めにて取り付けられており、上方に突出している。なお、冷蔵室扉２の下方には、その扉の重量等が加わるため、補強のためロック外カム３２は、金属製（例えばステンレス鋼板）のプレス品より成っている。また、アングル３３ａ及びヒンジピン３４も金属製であり、それぞれ例えば厚さ３．２ｍｍの亜鉛メッキ鋼板，及びステンレス鋼棒材となっている。
【００５１】
ヒンジピン３４は、冷蔵室扉２開閉時の回転軸となるものである。また、インサート成形により、アングル３３ａ周囲にヒンジカバー３３ｂが形成されており、後述する第２カム突起３５を含むロックカム部３６は、ヒンジアングル３３と一体に形成されている。また、ヒンジアングル３３の右端に設けられた３３ｃは当たり受け部であり、扉開放時にこの部分で扉の開き角度を制限する。
【００５２】
なお、ヒンジピン３４の上面が、上述したスライドカム２２における対応する面を支え、ヒンジピン３４周辺の他の部分を冷蔵室扉２下部より隔離させており、扉移動や開閉時における、他の部分による摩擦や引っかかりを防止する役目を果たしている。また、扉開放抵抗の多くもこのヒンジピン３４上面にかかる事になる。
【００５３】
そして、扉開放時にロック外カム３２の前部を、上述したカムレバー２１が押す構成であるため、押しやすい位置となっており、他に部材を追加したり補強したりする必要もないので、構造が簡素化されて安価となっている。さらに、この構成は、扉移動時の開放抵抗が主にかかるヒンジピン３４の付近に設けられており、てこによる動作力が、扉移動時の開放抵抗がかかる部分に確実に伝わるので、これにより安定した扉開放動作が得られる扉開閉機構を提供する事ができる。
【００５４】
図７は、扉の上方右側に配置されるロックカムを示す図である。同図（ａ）は、冷蔵庫本体１の上部に設けられたヒンジアングル（不図示）にビス等で取り付けられる、ロックカム３７を示している。ロックカム３７は、冷蔵室扉２の上部右側に配置されている、後述するスライドカム４０に対応している。本図は、ロックカム３７を上側から見た図であり、左側のロックカムは、本図を左右に反転した形状となっている。また、同図（ｂ）〜（ｄ）は、それぞれ同図（ａ）のＦ−Ｆ線断面図，Ｇ−Ｇ線断面図，Ｈ−Ｈ線断面図である。ロックカム３７の右側端部には、ヒンジピン３４が挿入される貫通穴３８が開けられている。また、貫通穴３８周りで同心状に、円弧状の第２カム突起３５が形成されている。
【００５５】
ロックカム３７の左側端部には、上述したロック外カム３２と上下に対向した位置及び類似の形状で、樹脂成形にてロック外カム３９が一体に形成されている。本実施形態においては、上述したカムレバー２１は、冷蔵室扉２の下部のみに配置されており、扉の上方にあるロック外カム３９を押す構造にはなっていないため、このロック外カム３９の材料としては、例えばポリアセタール樹脂等の樹脂材料を使用しても、強度上は充分である。なお、ロック外カム３９は、相手側の後述するスライド外カム４３との係合領域を大きくするため、ロック外カム３２と比較して、係合関係は同じであるがより長い形状としている。また、ａはビス止め用のボスである。
【００５６】
図８は、扉の上部右側に配置されるスライドカムを示す図である。同図（ａ）は平面図であり、同図（ｂ）は正面縦断面図を示している。同図のスライドカム４０は、前記ロックカム３７に対応している。スライドカム４０の右側端部には、扉閉止状態の第１係止位置から、ヒンジピン３４との係合を離脱する方向へと扉を導く第１溝カム４１と、前記第１係止位置から、ヒンジピン３４が回転軸として機能する第２係止位置へと扉を導く第２溝カム４２が設けられている。
【００５７】
そして、同じくスライドカム４０の右側端部には、図７で示した第２カム突起３５に第２係止位置で係合するように配置された、第１カム突起４４が設けられている。また、スライドカム４０の左側後部には、図７で示したロック外カム３９に係合するように配置された、スライド外カム４３が設けられている。なお、各係止位置の状態については後述する。また、ａはビス止め用のボスである。
【００５８】
図９は、冷蔵室扉２右側下部のスライドカム付近の図であり、同図（ａ）は下面図、同図（ｂ）は正面縦断面図を示している。同図に示すように、スライドカム２２には、図８で示したスライドカム４０と同様にして、右側端部には第１溝カム４１，第２溝カム４２，第１カム突起４４が設けられている。また、スライドカム２２には、図５，図６で示したロック外カム３２が挿入される開口部４５が設けられている。
【００５９】
なお、上述したカムレバー２１の回動軸となる円形ボス２１ａは、スライドカム２２の穴２２ａに、回動自在に嵌合している。また、スライドカバー２２に取り付けられている４６は冷蔵室扉２を全開したときの開放止めとなるストッパーであり、当たり部４６ａを有している。そして、扉開放時には、図６に示したヒンジアングル３３に設けられた当たり受け部３３ｃに、当たり部４６ａが当たって、扉はそれ以上開かないようになっている。
【００６０】
さらに、冷蔵室扉２の中央寄りには、ローラー組品４７が取り付けられている。これは、この後部に左右に連なるローラー４７ａが、冷蔵室扉２の閉止時にヒンジアングル３３上面に乗り上げる事により、冷蔵室扉２の荷重を支え、本体開口部前面３１との密閉状態を良好に保つ働きをするとともに、扉開閉動作を補助する働きもしている。また、前記スライドカム２２，ストッパー４６，ローラー組品４７は、ドアキャップ下１０を介して補強板２３にビス止めされている。ｂはその各部品を止めるビスである。なお、図９（ｂ）においては、図が複雑になる事を避けるため、ストッパー４６，ローラー組品４７，及びドアプレート８は、図示を省略している。
【００６１】
図１０は、本実施形態の扉開閉機構の、扉の開き始めの動作を示す説明図である。同図は冷蔵室扉２の下部平面付近における状態を模式的に示しており、扉の右側を開くときの、ロックカム部３６とスライドカム２２との相対位置関係を表している。なお、同図では冷蔵庫前部の左右両側を図示しており、中央部分は図示を省略している。同図（ａ）は、冷蔵室扉２の閉止状態を示しており、ここではロックカム部３６とスライドカム２２とから成るカム機構は、第１係止位置をとっている。
【００６２】
このとき、左右のスライドカム２２にそれぞれ設けられた第１溝カム４１は、各々扉の斜め内側向きとなるように形成されており、各々がヒンジピン３４に規制されるので、使用者が冷蔵室扉２或いは上述したハンドルの握り部を、左右両側から同時に手前に引いても、冷蔵室扉２が冷蔵庫本体１から脱落する事はない。
【００６３】
同図（ｂ）は、冷蔵室扉２右側の、ハンドル７の握り部７ｄを使用者が握り、手前に少し引く事により、冷蔵室扉２が右側から開き始めた状態を示している。このとき、握り部７ｄを手前に少し引いた事で、右側のカムレバー２１が回動中心１９ｃ周りに右回転し、カムレバー２１の押し面２１ｂがロック外カム３２の前部先端右側を斜め左後方へ押す事となる。
【００６４】
その反動により、右側のスライドカム２２に形成された第１溝カム４１の右壁面４１ｂが、右側のロックカム部３６のヒンジピン３４に当接しつつ斜め右前方へと移動し、それに伴い冷蔵室扉２の右部も、斜め右前方へ移動する。それと同時に、左側のスライドカム２２に形成された第２溝カム４２の後部壁面４２ａが、左側のロックカム部３６のヒンジピン３４に当接しつつ斜め右後方へと移動し、それに伴い冷蔵室扉２の左部も、斜め右後方へ移動する。
【００６５】
同図（ｃ）は、握り部７ｄを使用者が更に手前に引く事により、冷蔵室扉２が右側から更に開いた状態を示している。このとき、右側のカムレバー２１の押し面２１ｂが、更にロック外カム３２の前部先端右側を斜め左後方へ押し、右側のスライド外カム４３の摺動面４３ａが、右側のロック外カム３２の摺動面３２ａと摺動する事となる。そして、右側のヒンジピン３４に案内された第１溝カム４１が、冷蔵室扉２の右部を更に斜め右前方へと移動させる。また、左側の第２溝カム４２の後部壁面４２ａは、左側のヒンジピン３４に当接しつつ斜め右後方へと更に移動し、それに伴い冷蔵室扉２の左部も、斜め右後方へ更に移動する。
【００６６】
なお、このとき、図４に示したハンドル７の当たり部７ｅは、握り部７ｄを更に手前に引いた事により、ハンドルベース１５の当たり受け部１５ｃに当接するので、これ以上握り部７ｄを手前に引いても、カムレバー２１はロック外カム３２を押す事はなく、以後ハンドル７は、通常の取っ手の働きのみをする事になる。
【００６７】
また、上述したように、ロック外カム３２の前部を押すカムレバー２１の押し面２１ｂは、冷蔵室扉２の中央寄りとなるにつれて前側の位置となるような形状となっており、ロック外カム３２の前部を押している間は殆どその状態である。従って、この押し面２１ｂは、ロック外カム３２の前部を、斜め右前方から押すようになっており、その反力として、冷蔵室扉２の右部を、右側前方へ移動させるような力が働く事になる。
【００６８】
これは、押し面２１ｂが、ロック外カム３２の前部を、扉の開放方向と近い方向に沿った、その反力の方向に押している事になる。そして、冷蔵室扉２を右側前方へ移動させるこのような力により、右側のスライドカム２２に形成された第１溝カム４１が、右側のヒンジピン３４の外周に沿って移動しやすくなる。
【００６９】
また、この押し面２１ｂの動きにより、左側のスライドカム２２も、同時に扉の右方向へ引かれるため、左側の第２溝カム４２は、左側のヒンジピン３４の外周に沿って移動しやすくなり、左側のスライドカム２２は、後述する第２係止位置をとりやすくなる。それ故、前記カムレバー２１の押し面２１ｂによる扉移動動作力の分力の一部が、冷蔵室扉２を第２係止位置へ移動させるように働く事となる。こうなれば扉の移動が確実となり、これにより扉開放操作性の良好な扉開閉機構が得られる。
【００７０】
また、同図（ａ）〜（ｃ）に示した扉開放時において、左側のカムレバー２１の押し面２１ｂは、左側のロック外カム３２に軽く接する程度であり、また左側のスライドカム２２の動きを阻害しない形状にもなっている。そして、このような左側の押し面２１ｂとロック外カム３２との関係は、扉開閉時でこれらが近接している間は常に保たれる。なお、この時左側の押し面２１ｂとロック外カム３２との間に少し隙間を設ける構成としておけば、左側のスライドカム２２の移動時に、押し面２１ｂとロック外カム３２との摩擦による異常音の生じる恐れがなくなる。
【００７１】
図１１は、本実施形態の扉開閉機構の、扉を前記より更に開くときの動作を示す説明図である。同図は冷蔵室扉２の下部平面付近における状態を模式的に示しており、扉の右側を前記より更に開くときの、ロックカム部３６とスライドカム２２との相対位置関係を表している。なお、同図では冷蔵庫前部の左右両側を図示しており、中央部分は図示を省略している。但し、同図（ｃ）に関しては、右側も図示を省略している。
【００７２】
同図（ａ）は、図１０（ｃ）の状態から、使用者が握り部７ｄを持って冷蔵室扉２を更に手前に引き、扉の右側が更に開いた状態を示している。この時、冷蔵室扉２の左側において、第２溝カム４２の円形部４２ｂが、ヒンジピン３４と接する位置になり、左側のスライドカム２２は第２係止位置となる。そして、左側の第１カム突起４４が第２カム突起３５と係合を開始し、摺動案内される。
【００７３】
また、扉の右側では、スライド外カム４３の摺動面４３ｂが、ロック外カム３２の摺動面３２ｂ上を摺動する。これらの摺動面は、左側のヒンジピン３４を中心軸とする円弧上にある。以上により、左側のスライドカム２２が、左側のヒンジピン３４から外れないようにロックされ、冷蔵室扉２が冷蔵庫本体１から脱落する事が防止されるので、その結果、扉の開閉を確実に行えるようにする事ができる。
【００７４】
更に扉が回転すると、左側のヒンジピン３４を回転軸として、右側の第１溝カム４１の奥部４１ａでの右壁面４１ｂが、ヒンジピン３４に当接しつつ移動し、その後、右側のヒンジピン３４と第１溝カム４１との係合が解除される。また、この、右側の第１溝カム４１の奥部４１ａと、ヒンジピン３４との係合は、左側の第１カム突起４４が第２カム突起３５と係合するときの補助となる働きをしており、更にはスライド外カム４３やロック外カム３２が欠損したときの補助となる働きもしている。
【００７５】
さらに、同図（ｂ）に示すように、使用者が握り部７ｄを持って冷蔵室扉２を更に手前に引き、扉の右側を更に開くと、右側のロック外カム３２とスライド外カム４３との係合が解除され、即ち右側のロックカム部３６とスライドカム２２との係合が解除される。また、扉の左側では、ヒンジピン３４の軸中心を中心として、スライド外カム４３の摺動面４３ｃと、ロック外カム３２の摺動面３２ｃとが摺動し、スライド外カム４３がロック外カム３２に摺動案内される。
【００７６】
その後、同図（ｃ）に示すように、左側の第１カム突起４４と第２カム突起３５との係合のみにより、左側のスライドカム２２がロックカム部３６に案内され、左側のヒンジピン３４を回転軸として冷蔵室扉２が開かれる。また、この状態から冷蔵室扉２を閉じる場合は、冷蔵室扉２前面の右端付近を手で後方に押せば良く、このときスライドカム２２やロックカム部３６上の各部の関係は、図１０及び図１１で示したものと同様となる。但し、この場合は、使用者がハンドル７の握り部７ｄを握って手前に引いている事はないので、カムレバー２１のみは、ばね２５の反力により元に戻されており、スライドカム２２との関係は、図１０（ａ）で示したような状態となっている。
【００７７】
なお、図１０，図１１は、冷蔵室扉２の下側における、スライドカム２２とロックカム部３６との関係を示したものであるが、冷蔵室扉２の上側における、スライドカム４０とロックカム３７との関係も同様である。また、扉の左側を開ける場合は、図１０及び図１１の各図を左右方向で反転させた関係となる。
【００７８】
図１２は、冷蔵室扉右部の扉閉止状態での、ドアキャップ下１０付近の図１におけるＢ−Ｂ線断面図であり、図５で示したものに相当する他の実施例を示している。なお、左側のドアキャップ下付近の構成は、本図を左右に反転したものとなっている。同図に示すように、上述した下シャフト１９に相当する下シャフト４８下部のＬ状曲げ部４８ｂには、下側からスライドカム４９に組み込まれたカムレバー５０が、これを囲むように取り付けられている。そのため、Ｌ状曲げ部４８ｂは、カムレバー５０から上下方向に抜き差し可能となっている。
【００７９】
また、スライドカム４９及びカムレバー５０は、下シャフト４８の回動軸中心４８ｃが、ロック外カム３２の前部より後方に位置する事のみ異なり、その他は図５で示したものと同様の構造となっている。なお、ロック外カム３２の前部を押すカムレバー５０の押し面５０ｂは、下シャフト４８のてこの支点となる回動軸中心４８ｃが、ロック外カム３２の前部より後方に位置するようになっており、ロック外カム３２の前部を押している間は殆どその状態である。
【００８０】
従って、この押し面５０ｂは、ロック外カム３２の前部を、斜め右前方から押すようになっており、その反力として、冷蔵室扉２の右部を、右側前方へ移動させるような力が働く事になる。それ故、前記カムレバー５０の押し面５０ｂによる扉移動動作力の分力の一部が、冷蔵室扉２を第２係止位置へ移動させるように働く事となる。こうなれば扉の移動が確実となり、これにより扉開放操作性の良好な扉開閉機構が得られる。
【００８１】
ところで、上述した断熱材２ａには発泡ウレタンを用いているが、他の発泡断熱材を用いても良く、更にはガラスウール等の断熱材を用いても良い。また、これまで述べてきた本実施形態では、てこのアームであるカムレバーが冷蔵室扉の下部にのみ配置されている場合を示したが、扉の上部において相当する位置にもカムレバーを設けて対応させると、扉開放操作性は更に良くなる事は明白である。また、上述したカムレバー２１，５０に相当する部品の形状は、単なる棒状であっても、扉を開放させる機能としては充分に働くものである。
【００８２】
さらに、本実施形態では、冷蔵庫の左右両開きの扉を例に挙げて説明したが、例えばヒンジ式片開き扉のような、他の種類の扉であっても、同様の効果が得られる。また、扉の開き方向は上下方向でも良く、さらには扉が本体の上面や下面に配置されていても、同様の効果が得られる。
【００８３】
しかも、本発明の扉開閉機構の構造は、引き出し式扉の開放手段としても用いる事ができるのは明白である。例えば、ハンドルを扉の左右方向中央で上部に設け、ハンドルの回動軸中心を握り部よりも扉の上下方向中央部側に水平に設け、てこのアームである上記カムレバーに相当する部分を扉の左右の少なくとも一方に設けると良い。さらに、ハンドルの握り部に指を入れる事ができる構造としておけば、使用者の腕の重さや体重も利用して、ハンドルを下方に引きつつ扉を開ける事ができるので、これにより、更に扉開放操作性が向上する。
【００８４】
本実施形態について、これまで説明してきた部分以外の部分の構成を、以下に説明する。図１３は、冷蔵室扉左部のハンドル６付近の拡大図である。また、図１４〜図１７は、それぞれ図１３のＬ−Ｌ線断面図，Ｉ−Ｉ線断面図，Ｊ−Ｊ線断面図，Ｋ−Ｋ線断面図を示している。ここで、図１７は、本発明の扉開閉機構における、扉の下部に配置されたヒンジアングルを示している。さらに、図１８〜図２０は、それぞれ図１５〜図１７各左端の部分拡大図である。また、図２１，図２２は、それぞれ図１３のＪ−Ｊ線断面図，Ｋ−Ｋ線断面図に相当しており、扉の左右両側を表示して、本発明の扉開閉機構の動作を示している。そして、図２３，図２４はそれぞれ図２１，図２２各左端の部分拡大図である。
【００８５】
図１３，図１４に示すように、ハンドルベース１４とハンドルサポート１２とで、ドアプレート８をその開口部８ａにおいて挟み込む構成で、ハンドル形成部の空間が作られている。ハンドル６前面には、上下に延びる金属製の補強板６１がネジ６３で固定されており、更にハンドルカバー６２を爪６２ａ，６２ｂによる爪嵌合でハンドル６前面に取り付け、これをカバーしている。ハンドル６はその上下端より、それぞれアーム部６ｙ，６ｗが扉の中央方向へと延びており、同様にして補強板６１もその上下端より、それぞれアーム部６１ａａ，６１ａｂが扉の中央方向へと延びている。
【００８６】
図１３，図１８に示すように、ハンドル６上部では、補強板６１のアーム部６１ａａが、局部的にハンドル６のアーム部６ｙの、くびれ部分６ｚを通過して回動軸部分まで延びており、ここを上シャフト２４が貫通する事により、ハンドル６が回転可能に支持されている。
【００８７】
図１３，図１９に示すように、ハンドル６下部では、補強板６１のアーム部６１ａｂが、局部的にハンドル６のアーム部６ｗの、くびれ部分６ｘを通過しており、その端部には断面がコの字状の立ち上がり６１ａが設けられている。一方、下シャフト１９上部のＬ状曲げ部１９ａは、ハンドル下２０にはめ込まれており、更にその外側を、補強板６１におけるコの字状の立ち上がり６１ａが、これを挟み込むように嵌合している。なお、ｃはハンドル６とハンドル下２０を固定するためのビスである。
【００８８】
図１３，図２０に示すように、下シャフト１９下部のＬ状曲げ部１９ｂは、冷蔵室扉２下部に設けられたスライドカム２２に組み付けられた、カムレバー２１の凹部に嵌合される。また、図１８，図１９に示すように、ハンドル６の回動軸近傍及びアーム部６ｙ，６ｗの可動部を覆い、更にハンドルベース１４のドアプレート嵌合部１４ｚを覆うため、樹脂製のベースカバー２６が設けられている。
【００８９】
さて、図２１，図２３に示すように、冷蔵室扉２の閉止状態から、使用者がハンドル６を手前に引くと、ハンドル６は回動軸中心１９ｃ周りで上側から見て左回りに回転する。このとき、ハンドル６のアーム部６ｗは、ベースカバー２６に接触しない位置関係となっている。このようなハンドル６の回転に伴い、図２２，図２４に示すように、冷蔵室扉２下部のカムレバー２１が下シャフト１９に連動して回転し、冷蔵庫本体側に設けられたヒンジアングル３３に取り付けられているロック外カム３２前部を押す。これにより、冷蔵室扉２自体が、右側のヒンジピン３４を軸として左回転し、冷蔵室扉２の左部が開放される。
【００９０】
上述したように、ハンドル６の回動軸近傍、及びハンドル６のアーム部可動部を覆うための、一体成形された樹脂製カバー（ベースカバー２６）を設けているため、機構部に埃，飲料等が入り込みにくく衛生的であり、清掃も容易である。また動作不良等の問題も発生しにくい。また、ハンドル部に金属製の補強板６１を組み付ける事により、剛性に優れた扉開閉機構が得られる。これによりハンドルのアーム部可動部を細くする事ができ、カバーにより覆いやすくなる。
【００９１】
なお、以上の図１３〜図２４で説明した構成については、右側のハンドル７付近においては左右に反転した関係となっている事は言うまでもない。
【００９２】
【発明の効果】
以上説明したように、本発明によれば、少ない力で扉を開ける事ができて扉開放操作性が良好であり、しかも外観上も美しくデザイン的に洗練された扉開閉機構を提供する事ができる。
【００９３】
また、ハンドルの回動軸近傍、及びハンドルのアーム部可動部を覆うための、一体成形された樹脂製カバーを設けているため、機構部に埃，飲料等が入り込みにくく衛生的であり、清掃も容易である。また動作不良等の問題も発生しにくい。また、ハンドル部に金属製の補強板を組み付ける事により、剛性に優れた扉開閉機構が得られる。これによりハンドルのアーム部可動部を細くする事ができ、カバーにより覆いやすくなる。
【００９４】
さらに、断熱材が注入された扉組品の開口部を塞ぎつつハンドルを扉に組みつけている組付け部材（実施形態ではハンドルベース）をも、この樹脂製カバーが覆い、これにより外観を形成しているので、傷付き，破損等に関しては、この樹脂製カバーの交換のみで対応でき、サービス性，メンテナンス性が向上する。
【図面の簡単な説明】
【図１】本発明の扉開閉機構を備えた冷蔵庫の一実施形態を示す正面図。
【図２】冷蔵室扉右部のハンドル付近の拡大図。
【図３】冷蔵室扉右部のハンドルサポート及びハンドルベースを下側から見た図。
【図４】冷蔵室扉右部の扉閉止状態での、ハンドル付近の図１におけるＡ−Ａ線断面図。
【図５】冷蔵室扉右部の扉閉止状態での、ドアキャップ下付近の図１におけるＢ−Ｂ線断面図。
【図６】扉の下方に配置されるヒンジアングルを示す図。
【図７】扉の上方右側に配置されるロックカムを示す図。
【図８】扉の上部右側に配置されるスライドカムを示す図。
【図９】冷蔵室扉右側下部のスライドカム付近の図。
【図１０】扉の開き始めの動作を示す説明図。
【図１１】扉を更に開くときの動作を示す説明図。
【図１２】冷蔵室扉右部の扉閉止状態での、他の実施例のドアキャップ下付近の図１におけるＢ−Ｂ線断面図。
【図１３】冷蔵室扉左部のハンドル付近の拡大図。
【図１４】図１３のＬ−Ｌ線断面図。
【図１５】図１３のＩ−Ｉ線断面図。
【図１６】図１３のＪ−Ｊ線断面図。
【図１７】図１３のＫ−Ｋ線断面図。
【図１８】図１５左端の部分拡大図。
【図１９】図１６左端の部分拡大図。
【図２０】図１７左端の部分拡大図。
【図２１】図１３のＪ−Ｊ線断面図に相当する図。
【図２２】図１３のＫ−Ｋ線断面図に相当する図。
【図２３】図２１左端の部分拡大図。
【図２４】図２２左端の部分拡大図。
【符号の説明】
１    冷蔵庫本体
２    冷蔵室扉
３    野菜室扉
４ａ，４ｂ，５    冷凍室扉
６，７    ハンドル
８    ドアプレート
９    ドアキャップ上
１０    ドアキャップ下
１１    箱体
１２，１３    ハンドルサポート
１４，１５    ハンドルベース
１６    冷蔵室扉小組品
１７    冷蔵室扉中組品
１８    空間
１９    下シャフト
２０    ハンドル下
２１    カムレバー
２２    スライドカム
２３    補強板
２４    上シャフト
２５    バネ
２６    ベースカバー
２７    ハンドルカバー
２８    背面板
２９    パッキン
３０    カラー鋼板製キャビネット
３１    本体開口部前面
３２    ロック外カム
３３    ヒンジアングル
３４    ヒンジピン
３５    第２カム突起
３６    ロックカム部
３７    ロックカム
３８    貫通穴
３９    ロック外カム
４０    スライドカム
４１    第１溝カム
４２    第２溝カム
４３    スライド外カム
４４    第１カム突起
４５    開口部
４６    ストッパー
４７    ローラー組品
４８    下シャフト
４９    スライドカム
５０    カムレバー
６１    補強板
６２    ハンドルカバー
６３    ネジ
【図１】
0003568887.tif 000002
【図２】
0003568887.tif 000003
【図３】
0003568887.tif 000004
【図４】
0003568887.tif 000005
【図５】
0003568887.tif 000006
【図６】
0003568887.tif 000007
【図７】
0003568887.tif 000008
【図８】
0003568887.tif 000009
【図９】
0003568887.tif 000010
【図１０】
0003568887.tif 000011
【図１１】
0003568887.tif 000012
【図１２】
0003568887.tif 000013
【図１３】
0003568887.tif 000014
【図１４】
0003568887.tif 000015
【図１５】
0003568887.tif 000016
【図１６】
0003568887.tif 000017
【図１７】
0003568887.tif 000018
【図１８】
0003568887.tif 000019
【図１９】
0003568887.tif 000020
【図２０】
0003568887.tif 000021
【図２１】
0003568887.tif 000022
【図２２】
0003568887.tif 000023
【図２３】
0003568887.tif 000024
【図２４】
0003568887.tif 000025